【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
箱形構造体と、その内部に収納されるフレーム構造体とからなる、ロッカー装置またはボックス装置の筐体であって、
当該箱形構造体は、背板の上部を直角に曲げ加工して天板となし、背板の下部を直角に曲げ加工して底板となし、左右の側板の上部及び下部をそれぞれ直角に曲げてコの字形断面とし、天板の上に、当該左右の側板の上部をそれぞれ重ねて溶接し、底板の下に、当該左右の側板の下部をそれぞれ重ねて溶接し、当該天板の下面には、前後方向へ伸び断面が逆Ｕの字形のガイドレールを取り付け、当該底板の上面には、前後方向へ伸び断面がＵの字形のガイドレールを取り付けて、前面が開放された略直方体形状となされ、
当該フレーム構造体は、ロッカーボックスの構成に対応した所定の位置に、電気錠フック挿入用穴、解錠ランプ取り付け用穴、電気錠取付け用穴及び蝶番取付け用穴を形成した４本の支柱を直立し、当該支柱の上端近くで、４本の上部水平はりを、それぞれ、その両端が支柱の上部内側面に当接し突き合わせ溶接し、上部はりのうち前後方向に伸びる上部水平はりの上面に断面が逆Ｕの字形の棒材からなるガイドを接して溶接し、当該支柱の下端近くで、４本の下部水平はりを、それぞれ、その両端が支柱の下部内側面に当接し突き合わせ溶接し、下部はりのうち前後方向に伸びる下部水平はりの下面に断面がＵの字形の棒材からなるガイドを接して溶接し、ロッカーボックスの構成に対応して支柱の所定の高さに仕切り板取付け用はりを溶接し、各ロッカーボックスの左右の側板、背板及び仕切り板を当該支柱の外側から固定してなり、
上記フレーム構造体を上記箱形構造体の前方から上記ガイドと上記ガイドレールとをそれぞれ嵌合し案内しつつ挿入し所定位置で固定し、各ロッカーボックスに前面から扉及び台輪部を取り付けてなるロッカー装置またはボックス装置の筐体。
【請求項２】
箱形構造体と、その内部に収納されるフレーム構造体とからなる、ロッカー装置またはボックス装置の筐体であって、
当該箱形構造体は、左右の側板の上部及び下部をそれぞれ直角に曲げてコの字形断面とし、長方形状の天板の上に、当該左右の側板の上部をそれぞれ重ねて溶接し、長方形状の底板の下に、当該左右の側板の下部をそれぞれ重ねて溶接し、当該天板の下面には、前後方向へ伸び断面が逆Ｕの字形のガイドレールを取り付け、当該底板の上面には、前後方向へ伸び断面がＵの字形のガイドレールを取り付けて、前面及び背面が開放された略直方体形状となされ、
当該フレーム構造体は、ロッカーボックスの構成に対応した所定の位置に、電気錠フック挿入用穴、解錠ランプ取り付け用穴、電気錠取付け用穴及び蝶番取付け用穴を形成した４本の支柱を直立し、当該支柱の上端近くで、４本の上部水平はりを、それぞれ、その両端が支柱の上部内側面に当接し突き合わせ溶接し、上部はりのうち前後方向に伸びる上部水平はりの上面に断面が逆Ｕの字形の棒材からなるガイドを接して溶接し、当該支柱の下端近くで、４本の下部水平はりを、それぞれ、その両端が支柱の下部内側面に当接し突き合わせ溶接し、下部はりのうち前後方向に伸びる下部水平はりの下面に断面がＵの字形の棒材からなるガイドを接して溶接し、ロッカーボックスの構成に対応して支柱の所定の高さに仕切り板取付け用はりを溶接し、各ロッカーボックスの左右の側板、背板及び仕切り板を当該支柱の外側から固定してなり、
上記フレーム構造体を上記箱形構造体の前方あるいは後方から上記ガイドと上記ガイドレールとをそれぞれ嵌合し案内しつつ挿入し所定位置で固定し、各ロッカーボックスに前面から扉及び台輪部を取り付けてなるロッカー装置またはボックス装置の筐体。
【手続補正２】
【補正対象書類名】明細書
【補正対象項目名】００１３
【補正方法】変更
【補正の内容】
【００１３】
【課題を解決するための手段】
上記目的は、請求項１に記載の第１の本発明に係るロッカー装置またはボックス装置の筐体、即ち、箱形構造体と、その内部に収納されるフレーム構造体とからなる、ロッカー装置またはボックス装置の筐体であって、当該箱形構造体は、背板の上部を直角に曲げ加工して天板となし、背板の下部を直角に曲げ加工して底板となし、左右の側板の上部及び下部をそれぞれ直角に曲げてコの字形断面とし、天板の上に、当該左右の側板の上部をそれぞれ重ねて溶接し、底板の下に、当該左右の側板の下部をそれぞれ重ねて溶接し、当該天板の下面には、前後方向へ伸び断面が逆Ｕの字形のガイドレールを取り付け、当該底板の上面には、前後方向へ伸び断面がＵの字形のガイドレールを取り付けて、前面が開放された略直方体形状となされ、当該フレーム構造体は、ロッカーボックスの構成に対応した所定の位置に、電気錠フック挿入用穴、解錠ランプ取り付け用穴、電気錠取付け用穴及び蝶番取付け用穴を形成した４本の支柱を直立し、当該支柱の上端近くで、４本の上部水平はりを、それぞれ、その両端が支柱の上部内側面に当接し突き合わせ溶接し、上部はりのうち前後方向に伸びる上部水平はりの上面に断面が逆Ｕの字形の棒材からなるガイドを接して溶接し、当該支柱の下端近くで、４本の下部水平はりを、それぞれ、その両端が支柱の下部内側面に当接し突き合わせ溶接し、下部はりのうち前後方向に伸びる下部水平はりの下面に断面がＵの字形の棒材からなるガイドを接して溶接し、ロッカーボックスの構成に対応して支柱の所定の高さに仕切り板取付け用はりを溶接し、各ロッカーボックスの左右の側板、背板及び仕切り板を当該支柱の外側から固定してなり、上記フレーム構造体を上記箱形構造体の前方から上記ガイドと上記ガイドレールとをそれぞれ嵌合し案内しつつ挿入し所定位置で固定し、各ロッカーボックスに前面から扉及び台輪部を取り付けてなるロッカー装置またはボックス装置の筐体によって、達成される。第１の本発明は、フロント・オープン型あるいは前面型のロッカー装置またはボックス装置用の筐体に関する。


【手続補正３】
【補正対象書類名】明細書
【補正対象項目名】００１４
【補正方法】変更
【補正の内容】
【００１４】
また、上記目的は、請求項２に記載の第２の本発明に係るロッカー装置またはボックス装置の筐体、即ち、箱形構造体と、その内部に収納されるフレーム構造体とからなる、ロッカー装置またはボックス装置の筐体であって、当該箱形構造体は、左右の側板の上部及び下部をそれぞれ直角に曲げてコの字形断面とし、長方形状の天板の上に、当該左右の側板の上部をそれぞれ重ねて溶接し、長方形状の底板の下に、当該左右の側板の下部をそれぞれ重ねて溶接し、当該天板の下面には、前後方向へ伸び断面が逆Ｕの字形のガイドレールを取り付け、当該底板の上面には、前後方向へ伸び断面がＵの字形のガイドレールを取り付けて、前面及び背面が開放された略直方体形状となされ、当該フレーム構造体は、ロッカーボックスの構成に対応した所定の位置に、電気錠フック挿入用穴、解錠ランプ取り付け用穴、電気錠取付け用穴及び蝶番取付け用穴を形成した４本の支柱を直立し、当該支柱の上端近くで、４本の上部水平はりを、それぞれ、その両端が支柱の上部内側面に当接し突き合わせ溶接し、上部はりのうち前後方向に伸びる上部水平はりの上面に断面が逆Ｕの字形の棒材からなるガイドを接して溶接し、当該支柱の下端近くで、４本の下部水平はりを、それぞれ、その両端が支柱の下部内側面に当接し突き合わせ溶接し、下部はりのうち前後方向に伸びる下部水平はりの下面に断面がＵの字形の棒材からなるガイドを接して溶接し、ロッカーボックスの構成に対応して支柱の所定の高さに仕切り板取付け用はりを溶接し、各ロッカーボックスの左右の側板、背板及び仕切り板を当該支柱の外側から固定してなり、上記フレーム構造体を上記箱形構造体の前方あるいは後方から上記ガイドと上記ガイドレールとをそれぞれ嵌合し案内しつつ挿入し所定位置で固定し、各ロッカーボックスに前面から扉及び台輪部を取り付けてなるロッカー装置またはボックス装置の筐体によって、達成される。第２の本発明は、パス・スルー型あるいは両面型のロッカー装置またはボックス装置用の筐体に関する。